(57)【特許請求の範囲】
【請求項１】
内部に透光性を有する流体が満たされ、透光部分が上面部分に設けられた第１のバッグと、
透光性を有するシートより形成されると共に、前記透光部分の上に設けられ、内部に遮光性を有する液体が充填された第２のバッグと、
光を出射させる光源と、
を備え、
前記光源から出射された光を、前記第１のバッグの内部から前記透光部分及び前記第２のバッグの前記液体が押しのけられた部分を通して外部に伝播させることを特徴とするベッド。
【請求項２】
内部に透光性を有する流体が満たされ、透光部分が上面部分に設けられたバッグと、
前記透光部分の上面を覆い、縁辺部が前記バッグと接着された透光性のシートと、
前記透光部分と前記シートとの間に充填された遮光性を有する液体と、
光を出射させる光源と、
を備え、
前記光源から出射された光を、前記バッグの内部から前記透光部分及び前記液体が押しのけられた部分を通して外部に伝播させることを特徴とするベッド。
【発明の詳細な説明】
【０００１】
【発明の属する技術分野】
本発明は、例えば医療に用いられるベッドに関するものである。
【０００２】
【従来の技術】
さまざまな原因により寝たきりになる人は、体を動かすことがほとんどできないので、床ずれを起こし易い。床ずれとは、長期間寝たままの状態になったときに、骨の突出した部位の皮膚及び軟部組織が骨と病床との長期の圧迫で循環障害を起こすことにより懐死した状態のことをいう。
【０００３】
このため従来は、例えばウォーターベッドが床ずれを防止するために用いられている。図５に示すように、ベッド１は水２が満たされたウォーターバッグ３と、その下方に設置されたサーモスタッド付きヒータ４とから構成されている。ウォーターバッグ３に患者５が横たわると、ウォーターバッグ３と患者５との接触部分に均一な力が掛かるため、床ずれが生じにくい。また、サーモスタット付きヒータ４により、ウォーターバッグ３内の水２は適切な温度に保たれ、患者は快適に眠ることができる。
【０００４】
【発明が解決しようとする課題】
しかしながら、床ずれの要因は上に述べたものの他に、雑菌による感染も見逃せない。そのため現在では、看護者が寝たきりの患者に対して逐時アルコール消毒を行っている。
【０００５】
また、寝たきりの状態では骨量の減少が生じる。骨量が減少すると骨に鬆が発生し、最終的には骨粗鬆症にもなりうる。その結果、介護時においては骨折の可能性も高くなり、これがまた寝たきりの要因になるといった悪循環を引き起こす。
【０００６】
現在、寝たきりの患者は日本で４００万人いると言われており、今後の高齢化社会への移行に伴い、この患者の増加による医療費の増大が懸念されている。
【０００７】
そこで、我々は以前に、図６に示すように、光を出射する光源６を備えて、この光源から出射された光を外部に伝播させることにより日光浴を模擬し、雑菌による感染を防止するベッドを発明して特許出願した（特願平８ー１０１６２７、未公開）。この発明は、近紫外光を患者５に照射することによって雑菌由来の床ずれを防止し、さらには、近紫外光が体内では合成されない活性ビタミンＣを生成することにより骨粗鬆症の進行を抑制することを目的とする。
【０００８】
しかし、近紫外光が適切な箇所に適切な量のみ照射されれば問題はないが、紫外線を長時間照射したときや紫外線が目に入った場合などは、紫外線眼炎になるなどの問題が発生する。
【０００９】
この問題を解決するために、寝ている患者５は紫外線が目に入らないように、寝ている間中アイマスクをつけていることが必要であり、また看護者も紫外線の長時間の曝露から身を守るために、紫外線を透過しない掛布団を患者５にかける、長時間にわたりベッドのそばに居ない、などの特別な対策が必要である。
【００１０】
そこで本発明は、このような特別な対策を必要とせずに上記問題点を解決するために、患者の体の必要な箇所のみに選択的に光を照射し、それ以外の部分では光がベッドの外部に漏れることを防止することのできるベッドを提供することを目的とする。
【００１１】
【課題を解決するための手段】
上記の課題を解決するために、本発明のベッドは図３の様になっている。光を出射する光源６を備えて、この光源６から出射された光を外部に伝播させるウォーターバッグ３の上面部分７に透光性シートで形成されたバッグ８を設け、その内部に遮光性を有する液体９を充填する。
【００１２】
通常は遮光性を有する液体９によって、内部からの光はベッド上部から外部に伝播されることはない。しかし、患者がベッドの上に乗ることにより強く押しつけられた部分は図４に示すように、遮光性を有する液体９がその圧力によって押しのけられ、光を外部に伝播する事が可能となる。
【００１３】
患者の体の中で光の照射が必要な箇所、つまり床ずれが発生しやすい部位は、患者の体のベッドに対して凸の部分、つまり患者がベッドを強く押しつけている部分であり、光の照射が必要な箇所には効果的に光が照射されることになる。
【００１４】
また、光が照射される箇所には必ず患者の体のある部位がベッドに密着しており、患者のその部位には光が照射されるが外部に漏れることはない。また患者の体におけるその他の部分に関しては、光が遮光性を有する液体９により遮断され、外部に漏れることはない。
【００１５】
上記により、患者の不必要な部位や看護者が紫外線に曝露されることがなくなる。
【００１６】
【発明の実施の形態】
本発明の実施形態にかかるベッドを図面を参照して説明する。図１は本発明の第１の実施形態にかかるベッドを側面から見た構成図である。
【００１７】
まず本実施形態にかかるベッド１の構成を説明する。ベッド１は、内部に水２を満たしたウォーターバッグ３を備え、ウォーターバッグ３の内部には近紫外光の光源６を有する。ウォーターバッグ３の上面部分７は透光性材料により形成され、側面部分１０及び下面部分１１は遮光性材料から形成されている。
【００１８】
上面部分７の上には、透光性シートで形成されたバッグ８が設けられており、透光性シートで形成されたバッグ８の内部には遮光性を有する液体９が充填されている。遮光性を有する液体９の例としては、水を主材とし、紫外線遮光機能と抗菌能を併せ持ったZnO系微粒子と、水の粘性をあげるための合成スメクタイトとを含むものなどが考えられる。
【００１９】
また、ウォーターバッグ３の下方には、ウォーターバッグ３内の水２を適温に調節するためのサーモスタット付きヒータ４が設けられている。
【００２０】
次に本実施形態にかかるベッド１の機能を説明する。ベッド１に患者５が横たわっていないとき、ウォーターバッグ３の内部の光源６から発せられた光は、ベッド上部の遮光性を有する液体９と遮光性材料から形成されているウォーターバッグ３の側面部分１０及び下面部分１１によって遮光され、ベッド１の外部には伝播されない（図３参照）。
【００２１】
しかし、図１の様に患者５がベッド１に横たわった状態になると、患者５の自重により、透光性シートで形成されたバッグ８に圧力がかかる。すると、後頭部、背中、腰などの、患者５の体のベッド１に対する凸部分が、その下部の遮光性を有する液体９を他の部位に押し出すことになる。患者５の体のベッド１に対する凸部分の下には、遮光性を有する液体９がなくなるために、ウォーターバッグ３の内部の光源６から発せられた光は、この部位のみから外部に伝播することが可能となる。
【００２２】
さらに、本実施形態にかかるベッド１の効果を説明する。寝たきりの患者５にとって、床ずれの発生しやすい部位は、ベッド１に対して凸な部分であり、本実施形態のベッド１によれば近紫外光の照射が必要な箇所には効果的に近紫外光を照射できることになる。
【００２３】
また、患者５の体の他の部分への紫外線の照射は不必要で、目に入射した場合にはかえって有害となる。本実施形態のベッド１においては、患者５の体のベッド１に対して凸でない部分、つまり、床ずれの発生しにくい部分については、遮光性を有する液体９によってウォーターバッグ３の内部の光源６から発せられた紫外線は遮光され、患者５には照射されない。また、紫外線が照射される箇所には必ず患者５の体の一部分がベッド１に密着しているため、紫外線が外部に漏れることはない。
【００２４】
図２は本発明の第２の実施形態にかかるベッドを側面から見た構成図である。この第２の実施形態が第１の実施形態と異なるところは、ウォーターバッグ３の上にバッグ８を別体として備える代わりに、ウォーターバッグ３とバッグ８とを一体化したことである。以下、特徴を具体的に述べると、まずウォーターバッグ３の上面部分７は透光性シート１２で覆われている。透光性シート１２とウォーターバッグ３の上面部分７との間には、遮光性を有する液体９が充填されている。また、液体９がベッド外部に漏れないように、ウォーターバッグ３と透光性シート１２の縁辺部、つまり、周辺の縁部とは接着されている。
【００２５】
この実施形態のベッド１においても、第１の実施形態と同様に患者５の体のうちベッド１に対して凸の部分のみに効果的に近紫外光が照射される。
【００２６】
上記第１、第２の実施形態における光源としては、床ずれ防止のために近紫外光の光源を用いたが、温熱療法のためには赤外光の光源などであってもかまわない。また光源は内部にあっても、外部から光ファイバなどの光伝達手段を用いて内部に導入したものでもかまわない。
【００２７】
また、ウォーターバッグ３の内部に封入する流体は水に限られず、窒素などのような不活性ガス、空気、優れた熱伝達性及び電気絶縁性等の特徴を有するパーフロロカーボン液などが考えられる。
【００２８】
【発明の効果】
本発明のベッドを用いることにより、バッグ内部から出射された光は患者の体の必要な部位のみに選択的に照射され、他の部位には照射されない。従って、患者の目をアイマスクによって紫外線から保護するなどといった特別な対策が必要なくなる。また、看護者においても、紫外線を透過しない掛布団を患者にかける、長時間ベッドのそばにいない、などといった紫外線の長時間曝露から身を守るための特別な対策は必要なくなり、患者、看護者とも安全な状態で、床ずれ防止のためのベッドを使用することが可能となる。
【図面の簡単な説明】
【図１】本発明の第１の実施形態にかかるベッドを側面から見た構成図である。
【図２】本発明の第２の実施形態にかかるベッドを側面から見た構成図である。
【図３】本発明のベッドを側面から見た構成図である。
【図４】本発明のベッドの遮光原理を示した図である。
【図５】従来技術であるベッドを側面から見た構成図である。
【図６】ウォーターバッグと光源を持ったベッドを側面から見た構成図である。
【符号の説明】
１…ベッド、２…水、３…ウォーターバッグ、４…サーモスタット付きヒータ、５…患者、６…光源、７…上面部分、８…透光性シートで形成されたバッグ、９…遮光性を有する液体、１０…側面部分、１１…下面部分、１２…透光性シート
【図１】
0003756608.tif 000002
【図２】
0003756608.tif 000003
【図３】
0003756608.tif 000004
【図４】
0003756608.tif 000005
【図５】
0003756608.tif 000006
【図６】
0003756608.tif 000007